(57)【特許請求の範囲】
【請求項１】
上下にそれぞれディスク（４，５）を収納保持するディスク用トレイ（６）において、
前記トレイの中央部にディスク中心孔保持部（１０）が形成され、
前記ディスク中心孔保持部は先端から半径方向外側に伸びる係止爪（１２）を形成した係合片（１１）と位置決め補強片（１３）を、前記位置決め補強片の高さ方向先端位置が前記係合片の高さ方向先端位置より高くして円周上に交互に等間隔で形成して構成され、
前記係合片は、トレイの中心水平部（１５）の端部から下方に伸びる部分（１６）、水平に伸びる部分（１７）、上方に伸びる部分（１８）を連続させて上側の係合片（１１）を形成し、
トレイの中心水平部の端部から上方に伸びる部分（２０）、水平に伸びる部分（２１）、下方に伸びる部分（２２）を連続させて下側の係合片を形成することを特徴とするディスク用トレイ。
【請求項２】
前記ディスク中心孔保持部は先端に係止爪を形成した係合片と、位置決め補強片を円周上に交互に等間隔で形成して構成され、トレイの中心水平部から上下に伸びる位置決め補強片を所定間隔で形成し、前記位置決め補強片間をトレイの中心水平部の下方で前記位置決め補強片の下端部より上方に位置する下方水平部とトレイの中心水平部の上方で前記位置決め補強片の上端部より下方に位置する上方水平部で交互に連結し、前記下方水平部の中央から上方に伸びる上側係合片を形成し、前記上方水平部の中央から下方に伸びる下側係合片を形成することを特徴とする請求項１に記載のディスク用トレイ。
【請求項３】
前記ディスク中心孔保持部は先端に係止爪を形成した係合片と、位置決め補強片を円周上に交互に等間隔で形成して構成され、トレイの中心水平部から上下に伸びる位置決め補強片を所定間隔で形成し、前記位置決め補強片の下端部間を連結する下方水平部と前記位置決め補強片の上端部間を連結する上方水平部とを交互に形成し、前記下方水平部の中央から上方に伸びる上側係合片を形成し、前記上方水平部の中央から下方に伸びる下側係合片を形成することを特徴とする請求項１に記載のディスク用トレイ。
【発明の詳細な説明】
【技術分野】
【０００１】
本発明は、コンパクトディスク（ＣＤ）やディブイディー（ＤＶＤ）等の円盤状記録媒体を上下に収納保持するディスク用トレイに関する。
【背景技術】
【０００２】
ディスク用トレイは、その中心部に上下に垂直に伸びる係合片をディスクの中心孔の内径より若干小さい円周上に等間隔に複数形成し、係合片の先端に係止爪を形成してディスク中心孔保持部とし、ディスクの中心孔の内縁を係合片の先端に形成した係止爪が係止して保持するディスク保持部が知られている。係合片はディスクを着脱する際、その先端部が中心方向に撓むことでディスクの着脱を容易にしている。
【特許文献１】特開２００２−３５９５４７号公報
【０００３】
従来のディスク用トレイのディスク中心孔保持部１０の構造を図１３、図１４により説明する。ディスク中心孔保持部１０は、トレイの中心部に形成される。ディスク中心孔保持部１０は、ディスク中心孔の内径より若干小さい円周上に等間隔に交互に係合片１１と位置決め補強片１３がトレイ６の上下側に形成される。係合片１１の先端には係止爪１２が形成され、係止爪１２がディスクの中心孔の内縁に係止してディスクをその上下に一枚ずつ収納保持する。係合片１１は、ディスクを着脱する際、中心部に撓むことによりディスクの着脱を容易にする。そのため、係合片１１はある程度の弾性力を確保する必要がある。
【０００４】
従来のディスク保持部１０は、円周上に等間隔で形成されるトレイ６の中央水平部１５から上下に伸びる位置決め補強片１３の間に、中央水平部１５から直接上方に伸びる上側の係合片１１と、中央水平部１５から直接下方に伸びる下側の係合片１１が交互形成される。
【発明の開示】
【発明が解決しようとする課題】
【０００５】
従来のディスク用トレイのディスク中心孔保持部１０は、ディスクの着脱を容易にするため、上下側の係合片１１の弾性力を確保する必要があり、そのためトレイ３の中心水平部１５のそれぞれの端部から直接上下方向に伸びる上下側の係合片１１の突出高さを高くし弾性力を確保することが考えられる。また、係合片１１の肉厚を薄くすることにより弾性力を確保することが考えられる。しかし、係合片１１の突出高さを高くして弾性力を確保すると、トレイの表面からの突出高さが大きくなり、ディスクケースの厚みを増加することになり製造コストが高価になるという問題や、ディスクケースの容積が増加し多数のディスクケースを収納する場合等のスペースが必要になるという問題が発生する。また、係合片１１の肉厚を薄くして弾性力を確保すると、係合片１１の強度が低下し破損するという問題が発生する。
【０００６】
本発明は、上記課題を解決する、構造が簡単で成形が容易であり、ディスクの着脱が容易であり、且つ耐久性のあるディスク中心孔保持部を備えたディスク用トレイを提供することを目的とする。
【課題を解決するための手段】
【０００７】
本発明のディスク用トレイは、前記課題を解決するために、上下にそれぞれディスク４，５を収納保持するディスク用トレイ６において、前記トレイの中央部にディスク中心孔保持部１０が形成され、前記ディスク中心孔保持部は先端から半径方向外側に伸びる係止爪１２を形成した係合片１１と位置決め補強片１３を、前記位置決め補強片の高さ方向先端位置が前記係合片の高さ方向先端位置より高くして円周上に交互に等間隔で形成して構成され、前記係合片は、トレイの中心水平部１５の端部から下方に伸びる部分１６、水平に伸びる部分１７、上方に伸びる部分１８を連続させて上側の係合片１１を形成し、トレイの中心水平部の端部から上方に伸びる部分２０、水平に伸びる部分２１、下方に伸びる部分２２を連続させて下側の係合片を形成することを特徴とする。
【０００８】
また、本発明のディスク用トレイは、前記ディスク中心孔保持部は先端に係止爪を形成した係合片と、位置決め補強片を円周上に交互に等間隔で形成して構成され、トレイの中心水平部から上下に伸びる位置決め補強片を所定間隔で形成し、前記位置決め補強片間をトレイの中心水平部の下方で前記位置決め補強片の下端部より上方に位置する下方水平部とトレイの中心水平部の上方で前記位置決め補強片の上端部より下方に位置する上方水平部で交互に連結し、前記下方水平部の中央から上方に伸びる上側係合片を形成し、前記上方水平部の中央から下方に伸びる下側係合片を形成することを特徴とする。
【０００９】
また、本発明のディスク用トレイは、前記ディスク中心孔保持部は先端に係止爪を形成した係合片と、位置決め補強片を円周上に交互に等間隔で形成して構成され、トレイの中心水平部から上下に伸びる位置決め補強片を所定間隔で形成し、前記位置決め補強片の下端部間を連結する下方水平部と前記位置決め補強片の上端部間を連結する上方水平部とを交互に形成し、前記下方水平部の中央から上方に伸びる上側係合片を形成し、前記上方水平部の中央から下方に伸びる下側係合片を形成することを特徴とする。
【発明の効果】
【００１１】
本発明の上下にそれぞれディスクを収納保持するディスク用トレイにおいて、前記トレイの中央部にディスク中心孔保持部が形成され、前記ディスク中心孔保持部は先端から半径方向外側に伸びる係止爪を形成した係合片１１と位置決め補強片を、前記位置決め補強片の高さ方向先端位置が前記係合片の高さ方向先端位置より高くして円周上に交互に等間隔で形成して構成され、前記係合片は、トレイの中心水平部の端部から下方に伸びる部分、水平に伸びる部分、上方に伸びる部分を連続させて上側の係合片を形成し、トレイの中心水平部の端部から上方に伸びる部分、水平に伸びる部分、下方に伸びる部分を連続させて下側の係合片を形成する構成により、上下側の係合片は、トレイの中央水平部から上下の方向に一端伸び、続く水平部の端部から伸びるので、トレイの上下面からの突出量を大きくすること無くその長さを確保できるので、係合片の中心方向への撓みのための弾性力を確保でき、位置決め補強片の高さ方向先端位置が係合片の高さ方向先端位置より高くして配置することで係合片のレーベルやブックへの接触を防止して係合片の損傷及びレーベル、ブックを傷めるのを防止できる。
ディスク中心孔保持部は先端に係止爪を形成した係合片と、位置決め補強片を円周上に交互に等間隔で形成して構成され、トレイの中心水平部から上下に伸びる位置決め補強片を所定間隔で形成し、前記位置決め補強片間をトレイの中心水平部の下方で前記位置決め補強片の下端部より上方に位置する下方水平部とトレイの中心水平部の上方で前記位置決め補強片の上端部より下方に位置する上方水平部で交互に連結し、前記下方水平部の中央から上方に伸びる上側係合片を形成し、前記上方水平部の中央から下方に伸びる下側係合片を形成する構成により、上下側の係止片の中心方向への撓みを容易にすると共に、上下側の係合片と位置決め補強片が上下の水平部で連結されているため、強度の大きいディスク中心孔保持部とすることができ、上下の水平部と位置決め補強片の上下端部との空隙が製造工程などでの取扱いにおいてトレイを複数積層した際の上下の係合片先端との接触を回避して係合片の損傷を防止することができる。
ディスク中心孔保持部は先端に係止爪を形成した係合片と、位置決め補強片を円周上に交互に等間隔で形成して構成され、トレイの中心水平部から上下に伸びる位置決め補強片を所定間隔で形成し、前記位置決め補強片の下端部間を連結する下方水平部と前記位置決め補強片の上端部間を連結する上方水平部とを交互に形成し、前記下方水平部の中央から上方に伸びる上側係合片を形成し、前記上方水平部の中央から下方に伸びる下側係合片を形成する構成により、上下の係合片がトレイの中心水平部からより離れた位置から伸びることができ、係合片の中心方向への撓みのための弾性力を確保でき、上下側の係合片と位置決め補強片が上下の水平部で連結されているため、強度の大きいディスク中心孔保持部とすることができ、位置決め補強片の先端の接触面の面積を大きくすることができ、レーベ、ブックを傷めるのを防止できる。
【発明を実施するための最良の形態】
【００１２】
本発明のディスク用トレイの実施の形態を図により説明する。図１は、本発明のディスク用トレイを備えたディスクケース１の全体を示す概略図である。
【００１３】
ディスクケース１は、ケース本体２と、上下にディスク４、５を２枚収納保持するトレイ６と、蓋体８がヒンジ９で連結され、開閉自在とされる。図中の符合３は、内容物に関する絵や文字が描かれたレーベルで、符合７は、歌詞や説明書き等のいわゆる数ページのブックである。
【００１４】
図２は、本発明のディスク用のトレイ６の平面図である。トレイ６の中心部には、ディスク４、５の中心孔と係合して保持するディスク中心孔保持部１０が形成される。トレイ６の外側には、ディスク４、５の着脱を容易にするための指差し入れ孔２４が複数形成される。
【００１５】
図３は、本発明のトレイ６のディスク中心孔保持部１０の概略を示す斜視図である。ディスク中心孔保持部１０は、ディスク４、５の中心孔の内径より僅かに小さい円周上にその外周面が位置するように係合片１１と位置決め補強片１３が交互に等間隔でトレイ６の上下に形成される。係合片１１の先端には係止爪１２が形成される。係合片１１と位置決め補強片１３の周囲には開口１４を形成する。開口１４は、係合片１１がディスク４、５の着脱の際、中心方向への撓みを許容する。係合片１１は、ディスク４、５の着脱の際、中心方向に撓むようにするため板状に形成する。位置決め補強片１３は、ディスク４、５の中心孔をディスク中心孔保持部１６に収納の際、安定してディスクを保持する機能と、ディスク中心孔保持部１０の補強部材として機能を有しブロック状に形成する。
【００１６】
図４〜図６は、本発明のトレイ６のディスク中心孔保持部１０の一実施形態を示す図である。
【００１７】
この実施形態のディスク中心孔保持部１０は、トレイ６の中央水平部１５から上下に伸びる位置決め補強片１３が円周上に等間隔で形成され、位置決め補強片１３、１３の間に上下側の係合片１１が交互に形成される。上側の係合片１１は、トレイ６の中央水平部１５の端部から下方の伸びる部分１６と、下方に伸びる部分１６の端部から水平に伸びる部分１７、水平に伸びる部分１７の端部から上方の伸びる部分１８を連続して形成され、先端から半径方向外側に伸びる係止爪１２が形成される。
【００１８】
下側の係合片１１は、トレイ６の中央水平部１５の端部から上方の伸びる部分２０と、上方に伸びる部分２０の端部から水平に伸びる部分２１、水平に伸びる部分２１の端部から下方の伸びる部分２２が連続して形成され、先端から半径方向外側に伸びる係止爪１２が形成される。
【００１９】
この実施形態の上下側の係合片１１は、トレイ６の中央水平部１５から一旦上下方向に伸び、続く水平部の端部から伸びるので、トレイ６の上下面からの突出量を大きくすること無くその長さを長くできるので中心方向への撓みのための弾性力を係止片１１の肉厚を薄くすることなく確保できる。
【００２０】
図７、図８、図９は、本発明のトレイ６のディスク中心孔保持部１０の他の実施形態を示す図である。
【００２１】
この実施形態のディスク中心孔保持部１０は、トレイ６の中央水平部１５から上下に伸びる上下側の位置決め補強片１３が所定間隔で形成され、隣り合う位置決め補強片１３、１３が、トレイ６の中央水平部１５より下方で位置決め補強片１３の下端部より上方に位置する下方水平部２５と、トレイ６の中央水平部１５より上方で位置決め補強片１３の上端部より下方に位置する上方水平部２６で交互に連結されている。位置決め補強片１３の下端部と下方水平部２５との間に下方逃げ空間２７が形成され、位置決め補強片１３の上端部と上方水平部２６との間に上方逃げ空間２８が形成される。下方水平部２５の中央部から上方に伸びる上側の係合片１１が形成され、上方水平部２６の中央部から下方に伸びる下側の係合片１１が形成される。上下側の係合片１１の先端から半径方向外側に伸びる係止爪１２が形成される。
【００２２】
この実施形態の上下側の係合片１１は、それぞれトレイ６の中央水平部１５の下上に位置する下方水平部２５と上方水平部２６から伸びるので、トレイ６の上下面からの突出量を大きくすること無くその長さを長くできるので中心方向への撓みのための弾性力を係止片１１の肉厚を薄くすることなく確保できる。また、位置決め補強片１３が下方水平部２５、上方水平部２６で交互に連結されて一体化されるので強度の大きなディスク中心孔保持部１０とすることができる。さらに、図９に示されるように、製造工程などでの取扱いにおいて複数のトレイ６を積み重ねる際、上下側の係合片１１の先端部が下方逃げ空間２７、上方逃げ空間２８に位置して、係合片１１の先端から半径方向外側に伸びる係止爪１２の接触による破損を防止できる。
【００２３】
図１０は、本発明のディスクケース１のトレイ６の上下にディスク４、５を収納保持し、蓋体８を閉めた状態の要部断面図である。トレイ６の下側の位置決め補強片１３の先端がケース本体２に収容されたレーベル３と接するようにし、ディスク４、５の荷重をケース本体２で支持する。蓋体８に収容されるブック７と上側の係合片１１と位置決め補強片１３の先端との間には若干の空隙が形成されるようにする。
【００２４】
上下側の位置決め補強片１３の高さを上下側の係合片１１より若干高くし、上下側の位置決め補強片１３の上下端面を水平に形成し、かつ角部を面取りすることで、レーベル３やブック７を傷めることがないようにする。
【００２５】
図１１、図１２は、発明のトレイ６のディスク中心孔保持部１０の別の実施形態を示す図である。
【００２６】
この実施形態のディスク中心孔保持部１０は、トレイ６の中央水平部１５から上下に伸びる上下側の位置決め補強片１３が所定間隔で形成され、隣り合う位置決め補強片１３、１３の下端部間を下方水平部２５で連結し、隣り合う位置決め補強片１３、１３の上端部間を上方水平部２６で連結する。下方水平部２５の中央部から上方に伸びる上側の係合片１１が形成され、上方水平部２６の中央部から下方に伸びる下側の係合片１１が形成される。上下側の係合片１１の先端から半径方向外側に伸びる係止爪１２が形成される。
【００２７】
上下の係合片１１がトレイ６の中央水平部１５からより離れた位置から伸びることができ、係合片１１の中心方向への撓みのための弾性力を確保でき、上下側の係合片１１と位置決め補強片１３が上下の水平部２６、２５で連結されているため、強度の大きいディスク中心孔保持部１０とすることができ、位置決め補強片１３の先端の接触面３０の面積を大きくすることができ、レーベル、ブックを傷めるのを防止できる。
【図面の簡単な説明】
【００２８】
【図１】本発明の実施形態を示す図である。
【図２】本発明の実施形態を示す図である。
【図３】本発明の実施形態を示す図である。
【図４】本発明の実施形態を示す図である。
【図５】本発明の実施形態を示す図である。
【図６】本発明の実施形態を示す図である。
【図７】本発明の実施形態を示す図である。
【図８】本発明の実施形態を示す図である。
【図９】本発明の実施形態を示す図である。
【図１０】本発明の実施形態を示す図である。
【図１１】本発明の実施形態を示す図である。
【図１２】本発明の実施形態を示す図である。
【図１３】従来技術を示す図である。
【図１４】従来技術を示す図である。
【符号の説明】
【００２９】
１：ディスクケース、２：ケース本体、３：レーベル、４：ディスク、５：ディスク、６：トレイ、７：ブック、８：蓋体、９：ヒンジ、１０：ディスク中心孔保持部、１１：係合片、１２：係止爪、１３：位置決め補強片、１４：開口、１５：中央水平部、１６：下方に伸びる部分、１７：水平に伸びる部分、１８：上方に伸びる部分、２０：上方に伸びる部分、２１：水平に伸びる部分、２２：下方に伸びる部分、２４：指差し入れ孔、２５：下方水平部、２６：上方水平部、２７：下方逃げ空間、２８：上方逃げ空間、３０：接触面
【図１】
0004895212.tif 000002
【図２】
0004895212.tif 000003
【図３】
0004895212.tif 000004
【図４】
0004895212.tif 000005
【図５】
0004895212.tif 000006
【図６】
0004895212.tif 000007
【図７】
0004895212.tif 000008
【図８】
0004895212.tif 000009
【図９】
0004895212.tif 000010
【図１０】
0004895212.tif 000011
【図１１】
0004895212.tif 000012
【図１２】
0004895212.tif 000013
【図１３】
0004895212.tif 000014
【図１４】
0004895212.tif 000015